(57)【特許請求の範囲】
【請求項１】
情報通信端末またはコンテンツディスプレイ端末を含むスマート機器上でアプリケーションのメニューを構成するスマート機器におけるメニュー構成方法であって、
前記スマート機器は、
前記スマート機器が接続された特定場所からアプリケーションの指定或いはダウンロード要請を行い、指定或いはダウンロードされるアプリケーションを管理するダウンロード管理モジュール、
前記アプリケーションのキーワード、タイトル、およびタグ（ｔａｇ）のうち少なくともいずれか１つの情報を収集してセマンティックメニュー検索のためのキーワードに確定するキーワード抽出モジュール、
前記キーワード抽出モジュールによって抽出されたキーワードを用いてセマンティックメニューを分類するセマンティックメニュー分類モジュール、および
前記セマンティックメニュー分類モジュールによって分類されたセマンティックメニューを前記スマート機器上に開示するセマンティックメニュー開示モジュールを有し、
前記メニュー構成方法は、
（ａ）前記スマート機器が前記特定場所に接続されるステップ、
（ｂ）前記ダウンロード管理モジュールが、前記特定場所から指定或いはダウンロード要請した前記アプリケーションを前記スマート機器に連結するステップ、
（ｃ）前記キーワード抽出モジュールが、前記アプリケーションのキーワード、タイトル、およびタグ（ｔａｇ）のうち少なくともいずれか１つの情報を収集してセマンティックメニュー検索のためのキーワードに確定するステップ、
（ｄ）前記セマンティックメニュー分類モジュールが、確定されたキーワードをセマンティックメニューとして分類するステップ、および
（ｅ）前記セマンティックメニュー開示モジュールが、分類されたセマンティックメニューを前記スマート機器上に開示するステップを含み、
前記ステップ（ｃ）は、前記キーワード抽出モジュールが、アプリケーションのアイコンと共に提供されるタイトル名、または、アプリケーション提供者が提供する分類ディレクトリ名や説明文からキーワード、タイトル、およびタグのうち少なくともいずれか１つの情報を収集することで達成され、
前記ステップ（ｃ）は、
（ｃ−１）前記キーワード抽出モジュールが、前記タイトル名または分類ディレクトリ名を形態素処理するステップ、および
（ｃ−２）前記キーワード抽出モジュールが、形態素処理によって得られた名詞単語をセマンティックメニュー検索のためのキーワードに確定するステップを含むことを特徴とするスマート機器におけるメニュー構成方法。
【請求項２】
前記スマート機器は、スマートフォン、スマートパッド、スマートＴＶ、ＰＣ、ＩＰＴＶ、ナビゲーション装置、およびコンピュータ機能を有した情報通信端末のうちいずれか１つであることを特徴とする、請求項１に記載のスマート機器におけるメニュー構成方法。
【請求項３】
前記特定場所は、ウェブサイト、アプリケーションマーケット、ストア、コンテンツ格納場所、およびウェブサービスサイトのうちいずれか１つであることを特徴とする、請求項１に記載のスマート機器におけるメニュー構成方法。
【請求項４】
前記ステップ（ａ）は、有線ネットワーク接続、無線ネットワーク接続、または有線ネットワークと無線ネットワークの複合的な接続を介して行われることを特徴とする、請求項１に記載のスマート機器におけるメニュー構成方法。
【請求項５】
前記ステップ（ａ）は、音声認識入力方式、文字入力方式、およびタッチ入力方式のうちいずれか１つの入力方式によって行われることを特徴とする、請求項１に記載のスマート機器におけるメニュー構成方法。
【請求項６】
前記ステップ（ｂ）は、スマート機器のお気に入り、お気に入り視聴、お気に入り実行のうちいずれか１つの機能を利用して前記特定場所のアプリケーションを指定することで達成されるか、スマート機器においてダウンロード要請したアプリケーションが前記特定場所からスマート機器にダウンロードされることで達成されることを特徴とする、請求項１に記載のスマート機器におけるメニュー構成方法。
【請求項７】
前記アプリケーションは、アプリケーションソフトウェア、ウェブアプリケーション、ウェブサービス、ゲーム、音楽、写真、動画、テキストデータ、およびコンピュータ処理可能なコンテンツのうち少なくともいずれか１つであることを特徴とする、請求項１に記載のスマート機器におけるメニュー構成方法。
【請求項８】
情報通信端末またはコンテンツディスプレイ端末を含むスマート機器上でアプリケーションのメニューを構成するスマート機器におけるメニュー構成方法であって、
前記スマート機器は、
前記スマート機器が接続された特定場所からアプリケーションの指定或いはダウンロード要請を行い、指定或いはダウンロードされるアプリケーションを管理するダウンロード管理モジュール、
前記アプリケーションのキーワード、タイトル、およびタグ（ｔａｇ）のうち少なくともいずれか１つの情報を収集してセマンティックメニュー検索のためのキーワードに確定するキーワード抽出モジュール、
前記キーワード抽出モジュールによって抽出されたキーワードを用いてセマンティックメニューを分類するセマンティックメニュー分類モジュール、および
前記セマンティックメニュー分類モジュールによって分類されたセマンティックメニューを前記スマート機器上に開示するセマンティックメニュー開示モジュールを有し、
前記メニュー構成方法は、
（ａ）前記スマート機器が前記特定場所に接続されるステップ、
（ｂ）前記ダウンロード管理モジュールが、前記特定場所から指定或いはダウンロード要請した前記アプリケーションを前記スマート機器に連結するステップ、
（ｃ）前記キーワード抽出モジュールが、前記アプリケーションのキーワード、タイトル、およびタグ（ｔａｇ）のうち少なくともいずれか１つの情報を収集してセマンティックメニュー検索のためのキーワードに確定するステップ、
（ｄ）前記セマンティックメニュー分類モジュールが、確定されたキーワードをセマンティックメニューとして分類するステップ、および
（ｅ）前記セマンティックメニュー開示モジュールが、分類されたセマンティックメニューを前記スマート機器上に開示するステップを含み、
前記ステップ（ｃ）は、前記キーワード抽出モジュールが、アプリケーションのアイコンと共に提供されるタイトル名、または、アプリケーション提供者が提供する分類ディレクトリ名や説明文からキーワード、タイトル、およびタグのうち少なくともいずれか１つの情報を収集することで達成され、
前記ステップ（ｃ）は、
（ｃ−１）前記キーワード抽出モジュールが、前記説明文をオープンするステップ、
（ｃ−２）前記キーワード抽出モジュールが、前記説明文を検索してアプリケーションのタイトル名、分類ディレクトリ名、またはキーワードタグを取得するステップ、
（ｃ−３）前記キーワード抽出モジュールが、取得されたタイトル名、分類ディレクトリ名、またはキーワードタグを形態素処理するステップ、および
（ｃ−４）前記キーワード抽出モジュールが、形態素処理によって得られた名詞単語をセマンティックメニュー検索のためのキーワードに確定するステップを含むことを特徴とするスマート機器におけるメニュー構成方法。
【請求項９】
情報通信端末またはコンテンツディスプレイ端末を含むスマート機器上でアプリケーションのメニューを構成するスマート機器におけるメニュー構成方法であって、
前記スマート機器は、
前記スマート機器が接続された特定場所からアプリケーションの指定或いはダウンロード要請を行い、指定或いはダウンロードされるアプリケーションを管理するダウンロード管理モジュール、
前記アプリケーションのキーワード、タイトル、およびタグ（ｔａｇ）のうち少なくともいずれか１つの情報を収集してセマンティックメニュー検索のためのキーワードに確定するキーワード抽出モジュール、
前記キーワード抽出モジュールによって抽出されたキーワードを用いてセマンティックメニューを分類するセマンティックメニュー分類モジュール、および
前記セマンティックメニュー分類モジュールによって分類されたセマンティックメニューを前記スマート機器上に開示するセマンティックメニュー開示モジュールを有し、
前記メニュー構成方法は、
（ａ）前記スマート機器が前記特定場所に接続されるステップ、
（ｂ）前記ダウンロード管理モジュールが、前記特定場所から指定或いはダウンロード要請した前記アプリケーションを前記スマート機器に連結するステップ、
（ｃ）前記キーワード抽出モジュールが、前記アプリケーションのキーワード、タイトル、およびタグ（ｔａｇ）のうち少なくともいずれか１つの情報を収集してセマンティックメニュー検索のためのキーワードに確定するステップ、
（ｄ）前記セマンティックメニュー分類モジュールが、確定されたキーワードをセマンティックメニューとして分類するステップ、および
（ｅ）前記セマンティックメニュー開示モジュールが、分類されたセマンティックメニューを前記スマート機器上に開示するステップを含み、
前記ステップ（ｄ）は、
（ｄ−１）前記セマンティックメニュー分類モジュールが、セマンティックメニュー辞書をオープンするステップ、
（ｄ−２）前記セマンティックメニュー分類モジュールが、前記ステップ（ｃ）において確定されたキーワードを検索キーワードにしてセマンティックメニュー辞書を検索するステップ、
（ｄ−３）前記セマンティックメニュー分類モジュールが、前記セマンティックメニュー辞書から前記検索キーワードにマッチングするセマンティックメニューネームを抽出するステップ、および
（ｄ−４）前記セマンティックメニュー分類モジュールが、抽出されたセマンティックメニューネーム要素に前記アプリケーションを含ませてセマンティックメニューファイルシステムを構成するステップを含むことを特徴とするスマート機器におけるメニュー構成方法。
【請求項１０】
前記セマンティックメニュー辞書は、少なくともアプリケーションのキーワード、ユーザー指定が可能なセマンティックメニューネームグループ、およびセマンティックメニュー作成日付の情報要素を有したＴＲＩＥ構造に構築されることを特徴とする、請求項９に記載のスマート機器におけるメニュー構成方法。
【請求項１１】
前記セマンティックメニュー作成日付情報は、アプリケーションに対するユーザーの使用履歴を示す属性情報として利用できることを特徴とする、請求項１０に記載のスマート機器におけるメニュー構成方法。
【請求項１２】
前記ステップ（ｄ−４）のセマンティックメニューファイルシステムの構成は、ツリー構造またはネットワーク構造で実現されることを特徴とする、請求項９に記載のスマート機器におけるメニュー構成方法。
【請求項１３】
前記セマンティックメニューネームの数は、７個〜１２個であることを特徴とする、請求項９〜１２のいずれか１項に記載のスマート機器におけるメニュー構成方法。
【請求項１４】
前記ステップ（ｅ）によって開示されるセマンティックメニューは、アクセスを制限および解除するロック解除機能が付加されることを特徴とする、請求項１に記載のスマート機器におけるメニュー構成方法。
【請求項１５】
前記ロック解除機能は、セマンティックメニューの全体に対する全体ロック、セマンティックメニューのうち一部選択されたメニューに対する部分ロック、セマンティックメニューの個別に対する個別ロックを選択できるように提供されることを特徴とする、請求項１４に記載のスマート機器におけるメニュー構成方法。
【請求項１６】
前記ロック解除機能は、特定パターンによってロックおよび解除が行われるパターン方式、パスワード入力によってロックおよび解除が行われるパスワード方式、および音声または指紋のような生体信号によってロックおよび解除が行われる生体信号方式のうちいずれか１つの方式で提供されることを特徴とする、請求項１４または１５に記載のスマート機器におけるメニュー構成方法。
【請求項１７】
前記ステップ（ｅ）は、
（ｅ−１）前記セマンティックメニュー開示モジュールが、前記セマンティックメニューをセマンティックメニューアイコン形態で示すステップ、および
（ｅ−２）前記セマンティックメニュー開示モジュールが、前記セマンティックメニューアイコンをスマート機器上にディスプレイするステップを含むことを特徴とする、請求項１に記載のスマート機器におけるメニュー構成方法。
【請求項１８】
前記ステップ（ｅ−１）は、前記セマンティックメニュー開示モジュールが、セマンティックメニューアイコンをスマート機器上にディスプレイし、ユーザーによって指定されたアイコンを特定セマンティックメニューのセマンティックメニューアイコンで示すことを特徴とする、請求項１７に記載のスマート機器におけるメニュー構成方法。
【請求項１９】
前記セマンティックメニューアイコンはグラフィック図または写真の形態で形成され、ユーザーによって選択された模様および大きさで提供されることを特徴とする、請求項１７または１８に記載のスマート機器におけるメニュー構成方法。
【請求項２０】
情報通信端末またはコンテンツディスプレイ端末を含むスマート機器が特定場所に接続して指定するか或いはダウンロード要請したアプリケーションに対してスマート機器上でアプリケーションのメニューを構成するスマート機器におけるメニュー構成システムであって、
前記スマート機器は、
前記特定場所からアプリケーションを指定するか或いはダウンロード要請を遂行し、指定されるか或いはダウンロードされるアプリケーションを管理するダウンロード管理モジュール、
前記アプリケーションのキーワード、タイトル、およびタグ（ｔａｇ）のうち少なくともいずれか１つの情報を収集してセマンティックメニュー検索のためのキーワードに確定するキーワード抽出モジュール、
前記キーワード抽出モジュールによって抽出されたキーワードを用いてセマンティックメニューを分類するセマンティックメニュー分類モジュール、および
前記セマンティックメニュー分類モジュールによって分類されたセマンティックメニューを前記スマート機器上に開示するセマンティックメニュー開示モジュールを含み、
前記キーワード抽出モジュールは、前記特定場所からアプリケーションのアイコンと共に提供するタイトル名、または、アプリケーション提供者が提供する分類ディレクトリ名や説明文からキーワード、タイトル、およびタグのうち少なくともいずれか１つの情報を収集し、
前記キーワード抽出モジュールは、前記タイトル名または分類ディレクトリ名を形態素処理してセマンティックメニュー検索のためのキーワードを抽出することを特徴とするスマート機器におけるメニュー構成システム。
【請求項２１】
前記スマート機器は、スマートフォン、スマートパッド、スマートＴＶ、ＰＣ、ＩＰＴＶ、ナビゲーション装置、およびコンピュータ機能を有した情報通信端末のうちいずれか１つであることを特徴とする、請求項２０に記載のスマート機器におけるメニュー構成システム。
【請求項２２】
前記特定場所は、ウェブサイト、アプリケーションマーケット、ストア、コンテンツ格納場所、およびウェブサービスサイトのうちいずれか１つであることを特徴とする、請求項２０に記載のスマート機器におけるメニュー構成システム。
【請求項２３】
前記スマート機器において前記特定場所に接続することは、有線ネットワーク接続、無線ネットワーク接続、または有線ネットワークと無線ネットワークの複合的な接続を介して行われることを特徴とする、請求項２０に記載のスマート機器におけるメニュー構成システム。
【請求項２４】
前記スマート機器において前記特定場所に接続することは、音声認識入力方式、文字入力方式、およびタッチ入力方式のうちいずれか１つの入力方式によって行われることを特徴とする、請求項２０に記載のスマート機器におけるメニュー構成システム。
【請求項２５】
前記ダウンロード管理モジュールは、お気に入り、お気に入り視聴、お気に入り実行のうちいずれか１つの機能を利用して前記特定場所のアプリケーションを指定するか、前記特定場所からアプリケーションのダウンロードを要請および遂行することを特徴とする、請求項２０に記載のスマート機器におけるメニュー構成システム。
【請求項２６】
前記アプリケーションは、アプリケーションソフトウェア、ウェブアプリケーション、ウェブサービス、ゲーム、音楽、写真、動画、テキストデータ、およびコンピュータ処理可能なコンテンツのうち少なくともいずれか１つであることを特徴とする、請求項２０に記載のスマート機器におけるメニュー構成システム。
【請求項２７】
情報通信端末またはコンテンツディスプレイ端末を含むスマート機器が特定場所に接続して指定するか或いはダウンロード要請したアプリケーションに対してスマート機器上でアプリケーションのメニューを構成するスマート機器におけるメニュー構成システムであって、
前記スマート機器は、
前記特定場所からアプリケーションを指定するか或いはダウンロード要請を遂行し、指定されるか或いはダウンロードされるアプリケーションを管理するダウンロード管理モジュール、
前記アプリケーションのキーワード、タイトル、およびタグ（ｔａｇ）のうち少なくともいずれか１つの情報を収集してセマンティックメニュー検索のためのキーワードに確定するキーワード抽出モジュール、
前記キーワード抽出モジュールによって抽出されたキーワードを用いてセマンティックメニューを分類するセマンティックメニュー分類モジュール、および
前記セマンティックメニュー分類モジュールによって分類されたセマンティックメニューを前記スマート機器上に開示するセマンティックメニュー開示モジュールを含み、
前記キーワード抽出モジュールは、前記特定場所からアプリケーションのアイコンと共に提供するタイトル名、または、アプリケーション提供者が提供する分類ディレクトリ名や説明文からキーワード、タイトル、およびタグのうち少なくともいずれか１つの情報を収集し、
前記キーワード抽出モジュールは、前記説明文からアプリケーションのタイトル名、分類ディレクトリ名、またはキーワードタグを取得し形態素処理してセマンティックメニュー検索のためのキーワードを抽出することを特徴とするスマート機器におけるメニュー構成システム。
【請求項２８】
情報通信端末またはコンテンツディスプレイ端末を含むスマート機器が特定場所に接続して指定するか或いはダウンロード要請したアプリケーションに対してスマート機器上でアプリケーションのメニューを構成するスマート機器におけるメニュー構成システムであって、
前記スマート機器は、
前記特定場所からアプリケーションを指定するか或いはダウンロード要請を遂行し、指定されるか或いはダウンロードされるアプリケーションを管理するダウンロード管理モジュール、
前記アプリケーションのキーワード、タイトル、およびタグ（ｔａｇ）のうち少なくともいずれか１つの情報を収集してセマンティックメニュー検索のためのキーワードに確定するキーワード抽出モジュール、
前記キーワード抽出モジュールによって抽出されたキーワードを用いてセマンティックメニューを分類するセマンティックメニュー分類モジュール、および
前記セマンティックメニュー分類モジュールによって分類されたセマンティックメニューを前記スマート機器上に開示するセマンティックメニュー開示モジュールを含み、
前記セマンティックメニュー分類モジュールは、前記キーワード抽出モジュールによって抽出されたキーワードを検索キーワードにしてセマンティックメニュー辞書を検索し、セマンティックメニュー辞書から検索キーワードにマッチングするセマンティックメニューネームを抽出してセマンティックメニューファイルシステムを構成することを特徴とするスマート機器におけるメニュー構成システム。
【請求項２９】
前記セマンティックメニュー辞書は、少なくともアプリケーションのキーワード、ユーザー指定が可能なセマンティックメニューネームグループ、およびセマンティックメニュー作成日付の情報要素を有したＴＲＩＥ構造に構築されることを特徴とする、請求項２８に記載のスマート機器におけるメニュー構成システム。
【請求項３０】
前記セマンティックメニュー作成日付情報は、アプリケーションに対するユーザーの使用履歴を示す属性情報として利用できることを特徴とする、請求項２９に記載のスマート機器におけるメニュー構成システム。
【請求項３１】
前記セマンティックメニュー分類モジュールは、ツリー構造またはネットワーク構造でセマンティックメニューファイルシステムを構成することを特徴とする、請求項２８に記載のスマート機器におけるメニュー構成システム。
【請求項３２】
前記セマンティックメニューネームの数は、７個〜１２個であることを特徴とする、請求項２８〜３１のいずれか１項に記載のスマート機器におけるメニュー構成システム。
【請求項３３】
前記セマンティックメニュー開示モジュールは、セマンティックメニューに対するアクセスを制限および解除するロック解除機能を有することを特徴とする、請求項２０に記載のスマート機器におけるメニュー構成システム。
【請求項３４】
前記ロック解除機能は、セマンティックメニューの全体に対する全体ロック、セマンティックメニューのうち一部選択されたメニューに対する部分ロック、セマンティックメニューの個別に対する個別ロックを選択できるように提供されることを特徴とする、請求項３３に記載のスマート機器におけるメニュー構成システム。
【請求項３５】
前記ロック解除機能は、特定パターンによってロックおよび解除が行われるパターン方式、パスワード入力によってロックおよび解除が行われるパスワード方式、および音声または指紋のような生体信号によってロックおよび解除が行われる生体信号方式のうちいずれか１つの方式で提供されることを特徴とする、請求項３３または３４に記載のスマート機器におけるメニュー構成システム。
【請求項３６】
前記セマンティックメニュー開示モジュールは、セマンティックメニューをアイコン形態のセマンティックメニューアイコンで示してスマート機器上にディスプレイすることを特徴とする、請求項２０に記載のスマート機器におけるメニュー構成システム。
【請求項３７】
前記セマンティックメニュー開示モジュールは、ユーザーによって指定されたアイコンを特定セマンティックメニューのセマンティックメニューアイコンで示すことを特徴とする、請求項３６に記載のスマート機器におけるメニュー構成システム。
【請求項３８】
前記セマンティックメニューアイコンはグラフィック図または写真の形態で形成され、ユーザーによって選択された模様および大きさで提供されることを特徴とする、請求項３６または３７に記載のスマート機器におけるメニュー構成システム。
【発明の詳細な説明】
【技術分野】
【０００１】
本発明は、スマートフォン、スマートパッド、スマートＴＶなどのようなスマート機器におけるメニュー構成方法およびシステムに関し、より詳しくは、スマート機器上でユーザーアプリケーションのメニューをセマンティック（ｓｅｍａｎｔｉｃ）メニュー方式に構成する方法およびシステムに関する。
【背景技術】
【０００２】
最近になって情報通信端末やコンテンツディスプレイ機器は様々な機能がコンバージェンス（ｃｏｎｖｅｒｇｅｎｃｅ）してスマートに発展しており、スマートフォン、スマートパッド、スマートＴＶなどに大別される、いわゆる、スマート機器が広く普及されている。スマート機器の最も有用な長所のうちの１つは、ユーザーが所望するアプリケーション（アプリケーションプログラム、コンテンツなどを含む意味）をダウンロードして使用できるということである。
【０００３】
通常、アプリケーション提供者（ｐｒｏｖｉｄｅｒ）は、マーケットまたはストアと呼ばれるアプリケーションポータルにアプリケーションを登録して販売する。例えば、アップルストア（Ａｐｐｌｅ  Ｓｔｏｒｅ、登録商標）やアンドロイドマーケットなどには、色々な登録者らによって８０余万個のアプリケーションが登録されている。ユーザーは、自身のスマート機器に設置されたウェブブラウザや情報検索ツールを実行させてアプリケーションポータルに接続し、自身が所望するアプリケーションを検索しダウンロードして自身のスマート機器に設置する。
【０００４】
スマート機器のユーザーが特定のストアやマーケットにおいてアプリケーションを指定しダウンロードすれば、アプリケーションのダウンロードが始まり、ダウンロードが完了したアプリケーションのアイコンがユーザーのスマート機器の画面に表示される。ユーザーは、このアイコンをタップ（ｔａｐ）などのタッチ行為で活性化することによってダウンロードしたアプリケーションを実行することができる。
【０００５】
一方、スマート機器の使用時間が増加するほど、ユーザーがスマート機器にダウンロードするアプリケーションの数、ユーザーが接続したサイトの数、検索を通じて蓄積された情報などが膨大となる。特に、ユーザーがダウンロードしたアプリケーションの数が多いほど、ユーザーの管理はそれだけ難しくなる。
【０００６】
例えば、スマートフォンの一般的なユーザーがダウンロードするアプリケーションの平均数が１００個余りであると知られている。また、アプリケーションがダウンロードされる時ごとに該アプリケーションのアイコンも共にダウンロードされ、このアイコンがユーザーのスマート機器上で主なメニューを形成する。スマート機器の一般的なユーザーがダウンロードするアプリケーションにはゲーム、音楽、スケジュール管理などの様々な種類が含まれており、それらのアイコンも様々な形態を有する。
【０００７】
図１は、スマートフォン上でアプリケーションのアイコンのメニュー表示を示す。図１のように現在スマート機器上で様々なアプリケーションがダウンロードされる時、アイコンが意味的な分類なしでスマート機器上に表示される。この時、図１において、「ソーシャルメディア」、「金融」、および「インターネットＴＶ」などのアイコンは複数のアプリケーションをグループ化したフォルダーであり、従来のスマート機器のユーザーはこのようなフォルダー機能を利用して手動でアイコンをグループメニュー構成に分類できるだけである。
【０００８】
また、図２は、ＰＣ上でユーザーがお気に入り機能でブックマークしたサイト内の特定情報リストを示す。図２のような従来のお気に入り機能も手動でお気に入りリストを構成するものであり、図１でユーザーが手動でアイコンをグループ化してフォルダーを構成するのと類似する。
しかし、ダウンロードしたアプリケーションのアイコンが増加するほど、ユーザーはアプリケーションの内容に対する理解や認知度が落ちるだけでなく、スマート機器上でメニューが無秩序に形成される。すなわち、従来のような単純なメニュー構成環境においては、ダウンロードしたアプリケーションの数が増加するほど、ユーザーのアプリケーションの活用度が大幅に低下するという問題点が発生している。
【発明の概要】
【発明が解決しようとする課題】
【０００９】
本発明は、スマート機器上でアプリケーションのメニューをセマンティック方式を活用して構成することにより、スマート機器に蓄積されるアプリケーションなどのメニューが知能的に分類されて構成され、ユーザーにとってメニュー操作性が良好であり、アプリケーションに対する管理および検索が効率的に行われるスマート機器におけるメニュー構成方法およびシステムを提供することにその目的がある。
【課題を解決するための手段】
【００１０】
本発明の一実施形態によるスマート機器におけるメニュー構成方法は、情報通信端末またはコンテンツディスプレイ端末を含むスマート機器上でアプリケーションのメニューを構成するスマート機器におけるメニュー構成方法であって、（ａ）スマート機器において特定場所に接続するステップ、（ｂ）スマート機器において指定するか或いはダウンロード要請したアプリケーションが前記特定場所からスマート機器に連結されるステップ、（ｃ）スマート機器において前記アプリケーションのキーワード、タイトル、およびタグ（ｔａｇ）のうち少なくともいずれか１つの情報を収集してセマンティックメニュー検索のためのキーワードに確定するステップ、（ｄ）スマート機器において確定されたキーワードをセマンティックメニューとして分類するステップ、および（ｅ）スマート機器上に分類されたセマンティックメニューを開示するステップを含む。
【００１１】
本発明の他の実施形態によるスマート機器におけるメニュー構成方法は、前記スマート機器は、スマートフォン、スマートパッド、スマートＴＶ、ＰＣ、ＩＰＴＶ、ナビゲーション装置、およびコンピュータ機能を有した情報通信端末のうちいずれか１つである。
【００１２】
本発明のまた他の実施形態によるスマート機器におけるメニュー構成方法は、前記特定場所は、ウェブサイト、アプリケーションマーケット、ストア、コンテンツ格納場所、およびウェブサービスサイトのうちいずれか１つである。
【００１３】
本発明のまた他の実施形態によるスマート機器におけるメニュー構成方法は、前記ステップ（ａ）のスマート機器において特定場所に接続するステップは、有線ネットワーク接続、無線ネットワーク接続、または有線ネットワークと無線ネットワークの複合的な接続を介して行われる。
【００１４】
【００１５】
本発明のまた他の実施形態によるスマート機器におけるメニュー構成方法は、前記ステップ（ａ）のスマート機器において特定場所に接続するステップは、音声認識入力方式、文字入力方式、およびタッチ入力方式のうちいずれか１つの入力方式によって行われる。
【００１６】
本発明のまた他の実施形態によるスマート機器におけるメニュー構成方法は、前記ステップ（ｂ）のスマート機器において指定するか或いはダウンロード要請したアプリケーションが前記特定場所からスマート機器に連結されるステップは、スマート機器のお気に入り、お気に入り視聴、お気に入り実行のうちいずれか１つの機能を利用して前記特定場所のアプリケーションを指定することで達成されるか、スマート機器においてダウンロード要請したアプリケーションが前記特定場所からスマート機器にダウンロードされることで達成される。
【００１７】
本発明のまた他の実施形態によるスマート機器におけるメニュー構成方法は、前記アプリケーションは、アプリケーションソフトウェア、ウェブアプリケーション、ウェブサービス、ゲーム、音楽、写真、動画、テキストデータ、およびコンピュータ処理可能なコンテンツのうち少なくともいずれか１つである。
【００１８】
本発明のまた他の実施形態によるスマート機器におけるメニュー構成方法は、前記ステップ（ｃ）において前記アプリケーションのキーワード、タイトル、およびタグ（ｔａｇ）のうち少なくともいずれか１つの情報を収集することは、アプリケーションのアイコンと共に提供されるタイトル名、または、アプリケーション提供者が提供する分類ディレクトリ名や説明文からキーワード、タイトル、およびタグのうち少なくともいずれか１つの情報を収集することで達成される。
【００１９】
本発明のまた他の実施形態によるスマート機器におけるメニュー構成方法は、前記ステップ（ｃ）は、（ｃ−１）前記タイトル名または分類ディレクトリ名を形態素処理するステップ、および（ｃ−２）形態素処理によって得られた名詞単語をセマンティックメニュー検索のためのキーワードに確定するステップを含む。
【００２０】
本発明のまた他の実施形態によるスマート機器におけるメニュー構成方法は、前記ステップ（ｃ）は、（ｃ−１）前記説明文をオープンするステップ、（ｃ−２）前記説明文を検索してアプリケーションのタイトル名、分類ディレクトリ名、またはキーワードタグを取得するステップ、（ｃ−３）取得されたタイトル名、分類ディレクトリ名、またはキーワードタグを形態素処理するステップ、および（ｃ−４）形態素処理によって得られた名詞単語をセマンティックメニュー検索のためのキーワードに確定するステップを含む。
【００２１】
本発明のまた他の実施形態によるスマート機器におけるメニュー構成方法は、前記ステップ（ｄ）のスマート機器において確定されたキーワードをセマンティックメニューとして分類するステップは、（ｄ−１）セマンティックメニュー辞書をオープンするステップ、（ｄ−２）前記ステップ（ｃ）において確定されたキーワードを検索キーワードにしてセマンティックメニュー辞書を検索するステップ、（ｄ−３）前記セマンティックメニュー辞書から前記検索キーワードにマッチングするセマンティックメニューネームを抽出するステップ、および（ｄ−４）抽出されたセマンティックメニューネーム要素に前記アプリケーションを含ませてセマンティックメニューファイルシステムを構成するステップを含む。
【００２２】
本発明のまた他の実施形態によるスマート機器におけるメニュー構成方法は、前記セマンティックメニュー辞書は、少なくともアプリケーションのキーワード、ユーザー指定が可能なセマンティックメニューネームグループ、およびセマンティックメニュー作成日付の情報要素を有したＴＲＩＥ構造に構築される。
【００２３】
本発明のまた他の実施形態によるスマート機器におけるメニュー構成方法は、前記セマンティックメニュー作成日付情報は、アプリケーションに対するユーザーの使用履歴を示す属性情報として利用することができる。
【００２４】
本発明のまた他の実施形態によるスマート機器におけるメニュー構成方法は、前記ステップ（ｄ−４）のセマンティックメニューファイルシステムの構成は、ツリー構造またはネットワーク構造で実現される。
【００２５】
本発明のまた他の実施形態によるスマート機器におけるメニュー構成方法は、前記セマンティックメニューネームの数は７個〜１２個である。
【００２６】
本発明のまた他の実施形態によるスマート機器におけるメニュー構成方法は、前記ステップ（ｅ）によって開示されるセマンティックメニューは、アクセスを制限および解除するロック解除機能が付加される。
【００２７】
本発明のまた他の実施形態によるスマート機器におけるメニュー構成方法は、前記ロック解除機能は、セマンティックメニューの全体に対する全体ロック、セマンティックメニューのうち一部選択されたメニューに対する部分ロック、セマンティックメニューの個別に対する個別ロックを選択できるように提供される。
【００２８】
本発明のまた他の実施形態によるスマート機器におけるメニュー構成方法は、前記ロック解除機能は、特定パターンによってロックおよび解除が行われるパターン方式、パスワード入力によってロックおよび解除が行われるパスワード方式、および音声または指紋のような生体信号によってロックおよび解除が行われる生体信号方式のうちいずれか１つの方式で提供される。
【００２９】
本発明のまた他の実施形態によるスマート機器におけるメニュー構成方法は、前記ステップ（ｅ）は、（ｅ−１）前記セマンティックメニューをセマンティックメニューアイコン形態で示すステップ、および（ｅ−２）前記セマンティックメニューアイコンをスマート機器上にディスプレイするステップを含む。
【００３０】
本発明のまた他の実施形態によるスマート機器におけるメニュー構成方法は、前記ステップ（ｅ−１）は、セマンティックメニューアイコンをスマート機器上にディスプレイし、ユーザーによって指定されたアイコンを特定セマンティックメニューのセマンティックメニューアイコンで示す。
【００３１】
本発明のまた他の実施形態によるスマート機器におけるメニュー構成方法は、前記セマンティックメニューアイコンはグラフィック図または写真の形態で形成され、ユーザーによって選択された模様および大きさで提供される。
【００３２】
本発明の一実施形態によるスマート機器におけるメニュー構成システムは、情報通信端末またはコンテンツディスプレイ端末を含むスマート機器が特定場所に接続して指定するか或いはダウンロード要請したアプリケーションに対してスマート機器上でアプリケーションのメニューを構成するスマート機器におけるメニュー構成システムであって、前記スマート機器は、前記特定場所からアプリケーションを指定するか或いはダウンロード要請を遂行し、指定されるか或いはダウンロードされるアプリケーションを管理するダウンロード管理モジュール、前記アプリケーションのキーワード、タイトル、およびタグ（ｔａｇ）のうち少なくともいずれか１つの情報を収集してセマンティックメニュー検索のためのキーワードに確定するキーワード抽出モジュール、前記キーワード抽出モジュールによって抽出されたキーワードを用いてセマンティックメニューを分類するセマンティックメニュー分類モジュール、および前記セマンティックメニュー分類モジュールによって分類されたセマンティックメニューを前記スマート機器上に開示するセマンティックメニュー開示モジュールを含む。
【００３３】
本発明の他の実施形態によるスマート機器におけるメニュー構成システムは、前記スマート機器は、スマートフォン、スマートパッド、スマートＴＶ、ＰＣ、ＩＰＴＶ、ナビゲーション装置、およびコンピュータ機能を有した情報通信端末のうちいずれか１つである。
【００３４】
本発明のまた他の実施形態によるスマート機器におけるメニュー構成システムは、前記特定場所は、ウェブサイト、アプリケーションマーケット、ストア、コンテンツ格納場所、およびウェブサービスサイトのうちいずれか１つである。
【００３５】
本発明のまた他の実施形態によるスマート機器におけるメニュー構成システムは、前記スマート機器において前記特定場所に接続することは、有線ネットワーク接続、無線ネットワーク接続、または有線ネットワークと無線ネットワークの複合的な接続を介して行われる。
【００３６】
本発明のまた他の実施形態によるスマート機器におけるメニュー構成システムは、前記スマート機器において前記特定場所に接続することは、音声認識入力方式、文字入力方式、およびタッチ入力方式のうちいずれか１つの入力方式によって行われる。
【００３７】
本発明のまた他の実施形態によるスマート機器におけるメニュー構成システムは、前記ダウンロード管理モジュールは、お気に入り、お気に入り視聴、お気に入り実行のうちいずれか１つの機能を利用して前記特定場所のアプリケーションを指定するか、前記特定場所からアプリケーションのダウンロードを要請および遂行する。
【００３８】
本発明のまた他の実施形態によるスマート機器におけるメニュー構成システムは、前記アプリケーションは、アプリケーションソフトウェア、ウェブアプリケーション、ウェブサービス、ゲーム、音楽、写真、動画、テキストデータ、およびコンピュータ処理可能なコンテンツのうち少なくともいずれか１つである。
【００３９】
本発明のまた他の実施形態によるスマート機器におけるメニュー構成システムは、前記キーワード抽出モジュールは、前記特定場所からアプリケーションのアイコンと共に提供するタイトル名、または、アプリケーション提供者が提供する分類ディレクトリ名や説明文からキーワード、タイトル、およびタグのうち少なくともいずれか１つの情報を収集する。
【００４０】
本発明のまた他の実施形態によるスマート機器におけるメニュー構成システムは、前記キーワード抽出モジュールは、前記タイトル名または分類ディレクトリ名を形態素処理してセマンティックメニュー検索のためのキーワードを抽出する。
【００４１】
本発明のまた他の実施形態によるスマート機器におけるメニュー構成システムは、前記キーワード抽出モジュールは、前記説明文からアプリケーションのタイトル名、分類ディレクトリ名、またはキーワードタグを取得し形態素処理してセマンティックメニュー検索のためのキーワードを抽出する。
【００４２】
本発明のまた他の実施形態によるスマート機器におけるメニュー構成システムは、前記セマンティックメニュー分類モジュールは、前記キーワード抽出モジュールによって抽出されたキーワードを検索キーワードにしてセマンティックメニュー辞書を検索し、セマンティックメニュー辞書から検索キーワードにマッチングするセマンティックメニューネームを抽出してセマンティックメニューファイルシステムを構成する。
【００４３】
本発明のまた他の実施形態によるスマート機器におけるメニュー構成システムは、前記セマンティックメニュー辞書は、少なくともアプリケーションのキーワード、ユーザー指定が可能なセマンティックメニューネームグループ、およびセマンティックメニュー作成日付の情報要素を有したＴＲＩＥ構造に構築される。
【００４４】
本発明のまた他の実施形態によるスマート機器におけるメニュー構成システムは、前記セマンティックメニュー作成日付情報は、アプリケーションに対するユーザーの使用履歴を示す属性情報として利用することができる。
【００４５】
本発明のまた他の実施形態によるスマート機器におけるメニュー構成システムは、前記セマンティックメニュー分類モジュールは、ツリー構造またはネットワーク構造でセマンティックメニューファイルシステムを構成する。
【００４６】
本発明のまた他の実施形態によるスマート機器におけるメニュー構成システムは、前記セマンティックメニューネームの数は７個〜１２個である。
【００４７】
本発明のまた他の実施形態によるスマート機器におけるメニュー構成システムは、前記セマンティックメニュー開示モジュールは、セマンティックメニューに対するアクセスを制限および解除するロック解除機能を有する。
【００４８】
本発明のまた他の実施形態によるスマート機器におけるメニュー構成システムは、前記ロック解除機能は、セマンティックメニューの全体に対する全体ロック、セマンティックメニューのうち一部選択されたメニューに対する部分ロック、セマンティックメニューの個別に対する個別ロックを選択できるように提供される。
【００４９】
本発明のまた他の実施形態によるスマート機器におけるメニュー構成システムは、前記ロック解除機能は、特定パターンによってロックおよび解除が行われるパターン方式、パスワード入力によってロックおよび解除が行われるパスワード方式、および音声または指紋のような生体信号によってロックおよび解除が行われる生体信号方式のうちいずれか１つの方式で提供される。
【００５０】
本発明のまた他の実施形態によるスマート機器におけるメニュー構成システムは、前記セマンティックメニュー開示モジュールは、セマンティックメニューをアイコン形態のセマンティックメニューアイコンで示してスマート機器上にディスプレイする。
【００５１】
本発明のまた他の実施形態によるスマート機器におけるメニュー構成システムは、前記セマンティックメニュー開示モジュールは、ユーザーによって指定されたアイコンを特定セマンティックメニューのセマンティックメニューアイコンで示す。
【００５２】
本発明のまた他の実施形態によるスマート機器におけるメニュー構成システムは、前記セマンティックメニューアイコンはグラフィック図または写真の形態で形成され、ユーザーによって選択された模様および大きさで提供される。
【発明の効果】
【００５３】
本発明によれば、スマート機器上でアプリケーションのメニュー構成をセマンティック方式に構成してスマート機器に蓄積されるアプリケーションのメニューが知能的に分類されて構成され、ユーザーにとってメニュー操作性およびアプリケーション検索の便宜性が増大し、ユーザーエクスペリエンス（ＵＸ；Ｕｓｅｒ  ｅＸｐｅｒｉｅｎｃｅ）に基づいたアプリケーション管理を利用できるという効果がある。
【００５４】
また、本発明によれば、セマンティックメニューを個別的にロック解除することができるため、ユーザーが重要度の高いセマンティックメニューに対して多層セキュリティを設定できることは勿論、スマート機器の他の機能（例えば、通話機能など）はロックなしで利用しつつも重要度の高いセマンティックメニューに対してのみセキュリティ機能を設定することができ、ユーザー指向的なアプリケーション管理が可能な効果がある。
【図面の簡単な説明】
【００５５】
【図１】従来のスマートフォン上でのメニュー表示を例示した図である。
【図２】従来のＰＣ上でのお気に入りメニュー表示を例示した図である。
【図３】本発明によるメニュー構成システムを例示したブロック図である。
【図４】本発明によるメニュー構成方法を例示したフローチャートである。
【図５】本発明におけるキーワード抽出過程を例示したフローチャートである。
【図６】ＨＴＭＬで記述したアプリケーション説明文を例示した図である。
【図７】アンドロイドマーケット上でのアプリケーション説明文を例示した図である。
【図８】アプリケーション説明文からのキーワード抽出過程を例示したフローチャートである。
【図９】本発明におけるセマンティックメニュー分類過程を例示したフローチャートである。
【図１０】セマンティックメニューファイルシステムの構造を例示した図である。
【図１１】セマンティックメニューファイルシステムの構造を例示した図である。
【図１２】セマンティックメニュー辞書をテーブル形態で例示した図である。
【図１３】本発明におけるセマンティックメニュー開示過程を例示したフローチャートである。
【図１４】セマンティックメニュー開示のロック解除機能を例示した図である。
【図１５】本発明を用いたお気に入りメニュー構成を例示したフローチャートである。
【図１６】本発明を用いたお気に入り視聴メニュー構成を例示したフローチャートである。
【図１７】本発明を用いたお気に入り実行メニュー構成を例示したフローチャートである。
【図１８】本発明によって構成されたセマンティックメニュー表示画面を例示した図である。
【発明を実施するための形態】
【００５６】
以下では、添付図面を参照して本発明による具体的な実施形態が説明される。但し、これは本発明を特定の実施形態に限定しようとするものでなく、本発明の思想および技術範囲に含まれる全ての変更、均等物、代替物を含むものとして理解しなければならない。
【００５７】
明細書の全体にかけて類似する構成および動作を有するの部分に対しては同一の図面符号を付した。そして、本発明に添付された図面は説明の便宜のためのものであり、その形状と相対的な尺度は誇張または省略されることができる。
【００５８】
実施形態を具体的に説明するにおいて、重複する説明や当該分野で明らかな技術に関する説明は省略した。また、以下の説明において、ある部分が他の構成要素を「含む」とする時、これは特に反対の記載がない限り、記載された構成要素の他に構成要素をさらに含むことができることを意味する。
【００５９】
また、明細書に記載された「〜部」、「〜器」、「〜モジュール」などの用語は少なくとも１つの機能や動作を処理する単位を意味し、これは、ハードウェアやソフトウェアまたはハードウェアおよびソフトウェアの結合で実現されることができる。また、ある部分が他の部分と連結されているとする時、これは、直接に連結されている場合だけでなく、その間に他の構成を置いて連結されている場合も含む。
【００６０】
本発明は、従来のスマート機器においてアプリケーションメニューが無意味に分類され、ユーザーが手動でアプリケーションメニューをグループ化する方式とは異なり、セマンティック方式を利用して様々なアプリケーションを知能的で有意味に分類してセマンティックメニューを構成し開示するスマート機器におけるメニュー構成方法およびシステムに関する。本発明のスマート機器におけるメニュー構成方法およびシステムは、情報通信端末またはコンテンツディスプレイ端末などのスマート機器上でアプリケーションのメニューを構成する。
【００６１】
ここで、「スマート機器」とは、通常スマート機器と呼ばれるスマートフォン、スマートパッド、スマートＴＶなどの端末の他にも、本発明の技術思想が適用されたＰＣ、ＩＰＴＶ、ナビゲーション装置、その他のコンピュータ機能を有した情報通信端末などを含む意味として理解される。また、「アプリケーション」とは、アプリケーションソフトウェアのような狭義のアプリケーションだけでなく、ウェブアプリケーション、ウェブサービス、ゲーム、音楽、写真、動画、テキストデータ、およびコンピュータ処理可能なコンテンツなどを含む広義の意味として定義される。
【００６２】
図３は、本発明によるスマート機器におけるメニュー構成システムを例示したブロック図である。これを参照すれば、スマートフォン１０２、スマートパッド１０４、スマートＴＶ１０６などのようなスマート機器は、ネットワーク２００を介してウェブサイト３０２またはアプリケーションマーケット３０４などのような特定場所に接続可能である。
【００６３】
ここで、ネットワークは、有線ネットワーク、無線ネットワーク、または有線ネットワークと無線ネットワークが複合的に構成されたネットワークである。また、「特定場所」とは、スマート機器で接続可能なウェブサイト３０２、アプリケーションマーケット３０４だけでなく、ストア、コンテンツ格納場所、ウェブサービスサイトなどを含む。すなわち、特定場所は、前記アプリケーションをネットワーク２００を介してユーザーに提供する場所を意味する。
【００６４】
スマート機器は、ネットワーク２００を介して特定場所に接続してアプリケーションを指定するか、或いは特定アプリケーションに対してダウンロードを要請する。また、指定されたか或いはダウンロードを要請したアプリケーションに対してスマート機器上でメニューを構成する。
【００６５】
図３を参照すれば、スマート機器は、ダウンロード管理モジュール１２０、キーワード抽出モジュール１２５、セマンティックメニュー分類モジュール１３０、およびセマンティックメニュー開示モジュール１３５を備える。また、スマート機器は、選択的にタッチ入力を支援するタッチユーザーインターフェース１１０を備える。
【００６６】
スマート機器の入力方式はタッチ入力方式に限定されない。例えば、物理的なキーパッドやキーボードなどによる文字入力方式、または、音声認識入力方式などでアプリケーションの指定やダウンロードの要請を遂行することもできる。すなわち、図示してはいないが、スマート機器は、キー入力インターフェースまたは音声認識インターフェースなどをさらに備えることもできる。また、その他にも他の形態の入力インターフェースを備えることもできる。さらに、羅列された入力方式のうちいずれか１つだけが選択的に備えられても良い。
【００６７】
ダウンロード管理モジュール１２０は、特定場所からアプリケーションを指定するか、或いはダウンロードの要請を遂行し、指定されるか或いはダウンロードされるアプリケーションを管理する。
【００６８】
アプリケーションを指定する例として、スマートパッド１０４やＰＣにおいて、ダウンロード管理モジュール１２０は、お気に入り機能を利用してウェブサイト３０２の特定ウェブページなどを指定する。他例として、スマートＴＶ１０６において、ダウンロード管理モジュール１２０は、お気に入り視聴機能を利用して特定チャネルを指定する。また他の例として、スマートフォン１０２やコンテンツディスプレイ端末（例えば、アイポッド（登録商標）やギャラクシープレーヤーなど）において、お気に入り実行機能を利用して音楽や動画などの特定アプリケーションを指定する。
【００６９】
アプリケーションのダウンロードと関連した例として、ダウンロード管理モジュール１２０は、アプリケーションマーケット３０４に開示された様々なアプリケーションのうちユーザーによって選択されたアプリケーションに対してダウンロードを要請し、該アプリケーションのダウンロードを行って予め指定された格納位置に格納する。また、ダウンロードされたアプリケーションのアイコンまたは説明文などの情報を画面に出力する。
【００７０】
キーワード抽出モジュール１２５は、アプリケーションのキーワード、タイトル、およびタグ（ｔａｇ）のうちいずれか１つまたはそのような情報を複合的に収集してセマンティックメニュー検索のためのキーワードに確定する。例えば、アプリケーションのアイコンと共に提供されるタイトル名からタイトルやキーワードを抽出する。または、アプリケーションのタグからキーワードを抽出することができる。例えば、アプリケーション提供者が提供する分類ディレクトリ名や説明文からキーワードを抽出することができる。
【００７１】
キーワード抽出モジュール１２５は、上記のような方法により抽出したキーワードを形態素処理して名詞単語を得て、これをセマンティックメニュー検索のためのキーワードに確定する。また、このように抽出し確定されたキーワードはセマンティックメニューの分類に用いられる。
【００７２】
セマンティックメニュー分類モジュール１３０は、キーワード抽出モジュール１２５によって抽出し確定されたキーワードを用いてセマンティックメニューを分類する。好ましい実施形態として、セマンティックメニュー分類モジュール１３０は、セマンティックメニューの分類のためにセマンティックメニュー辞書３１０を利用する。セマンティックメニュー辞書３１０は、アプリケーションのキーワード、セマンティックメニューネームグループ、セマンティックメニュー作成日付などの情報要素を有したＴＲＩＥ構造で構成される。ここで、セマンティックメニューネームグループはユーザーによって指定が可能である。すなわち、ユーザーが自身が望む通りにセマンティックメニューネームおよびグループの属性を指定することができる。また、セマンティックメニュー作成日付は、アプリケーションに対するユーザーの使用履歴を示す属性情報として用いられることができる。セマンティックメニュー作成日付情報が多いほど、ユーザーの使用が頻繁なアプリケーションであることを意味する。
【００７３】
例えば、セマンティックメニュー分類モジュール１３０は、キーワード抽出モジュール１２５から抽出し確定されたキーワードを検索キーワードにしてセマンティックメニュー辞書３１０を検索する。また、セマンティックメニュー辞書３１０から検索キーワードにマッチングするセマンティックメニューネームを抽出してセマンティックメニューファイルシステムを構成する。セマンティックメニューファイルシステムは、ツリー構造またはネットワーク構造で構成される。
【００７４】
セマンティックメニュー開示モジュール１３５は、セマンティックメニュー分類モジュール１３０によって分類されたセマンティックメニューをスマート機器の画面に開示する。セマンティックメニュー開示モジュール１３５は、セマンティックメニューを開示するにおいて、セマンティックメニューに対するロック解除機能を提供する。このロック解除機能は、パターン方式、パスワード方式、音声や指紋などの生体信号方式などの色々な方式のうちの１つであっても良い。また、セマンティックメニューのロック解除は、セマンティックメニューの全体に対する全体ロック、一部のセマンティックメニューに対する部分ロック、個別のセマンティックメニューに対する個別ロックが選択的に提供される。
【００７５】
以下、図４のフローチャートおよび以下の図面に開示された実施形態を参照して、本発明によるスマート機器におけるメニュー構成方法および具体的な実施形態を詳細に説明する。
【００７６】
図４を参照すれば、スマート機器で特定場所に接続することでステップが始まる（ＳＴ１００）。図４の例示において、特定場所はアプリケーションマーケット３０４である。一例として、ユーザーは、スマートフォン３０４から提供するＷｉＦｉ（登録商標）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（登録商標）（Ｌｏｎｇ  Ｔｅｒｍ  Ｅｖｏｌｕｔｉｏｎ）などのネットワークサービスを介してアプリケーションマーケット３０４に接続する。他例として、スマートＴＶまたは一般家庭用ＰＣにおいて、有線ネットワークを介して特定の放送チャネルや特定のウェブサイトに接続することもできる。勿論、スマート機器において、特定場所に接続する過程で有線ネットワークと無線ネットワークが複合的に利用されることもできる。
【００７７】
次のステップにおいて、スマート機器は、特定場所からアプリケーションを指定するか、或いはアプリケーションのダウンロードを要請する（ＳＴ１１０）。図３の例示のようにスマートフォン１０２にタッチユーザーインターフェース１１０が設置された場合、ユーザーは、アプリケーションマーケット３０４において、所望するアプリケーションをタッチでタップ（ｔａｐ、指１つを画面にタッチした後、指を動かさないまま画面から直ちに持ち上げる時に発生するイベント）する。このようなタッチジェスチャーによってアプリケーションのダウンロード要請が遂行される。アプリケーションの指定は、例えば、前述したお気に入り、お気に入り視聴、お気に入り実行などによって実行される。
【００７８】
仮に、前記ステップＳＴ１１０においてアプリケーションのダウンロードが要請されたとすれば、次のステップにおいてアプリケーションのダウンロードが行われる（ＳＴ１２０）。アプリケーションのダウンロードは前述した有線または無線のネットワーク２００を介して行われる。
【００７９】
次に、アプリケーションの指定やダウンロードが完了すれば、ダウンロード管理モジュール１２０は、指定されたか或いはダウンロード完了したアプリケーションをスマート機器上に表示する（ＳＴ１３０）。図４においては、スマートフォン１０２におけるアプリケーションアイコン表示画面３１４を例示した。
【００８０】
ステップＳＴ１００〜ＳＴ１３０は、従来のスマート機器で行われるアプリケーションのダウンロードおよびダウンロードされたアプリケーションのアイコン表示と実質的に同一である。
【００８１】
本発明のメニュー構成方法においては、次のステップにおいてキーワード抽出モジュール１２５が指定されるか或いはダウンロードされたアプリケーションからセマンティックメニュー検索のためのキーワードを抽出する（ＳＴ１４０）。次に、セマンティックメニュー分類モジュール１３０は、抽出されたキーワードでセマンティックメニューを分類する（ＳＴ１５０）。セマンティックメニュー開示モジュール１３５は、分類されたセマンティックメニューをスマート機器の画面に開示する（ＳＴ１６０）。図４の例示において、ステップＳＴ１６０によって最終に画面表示されるセマンティックメニュー表示画面３２４が例示されている。
【００８２】
ステップＳＴ１４０〜ＳＴ１６０の具体的な実施形態は次の通りである。
【００８３】
図５は、本発明においてキーワード抽出過程を例示したフローチャートである。図５を参照すれば、アプリケーションのダウンロードが（または指定が）完了すれば（ＳＴ２００）、その後、キーワード抽出モジュール１２５はアプリケーションのタイトル名または分類ディレクトリ名を取得する（ＳＴ２１０）。
【００８４】
通常、アプリケーションのタイトル名は、アプリケーションのダウンロード時に該アプリケーションのアイコンと共に提供される。アプリケーションの分類ディレクトリ名は、アプリケーション提供者によって提供される。
【００８５】
キーワード抽出モジュール１２５は、取得されたタイトル名または分類ディレクトリ名を形態素処理する（ＳＴ２２０）。次に、形態素処理された単語が名詞単語であるか否かを判断する（ＳＴ２３０）。形態素処理は、一般的に国語の文章形態を分析するツールとして用いられる常用形態素エンジンを利用する。形態素エンジンには国語別の語彙に対して品詞などを基本情報にして構成された電子辞書が含まれ、例えば、この電子辞書は図５に例示された形態素辞書３２０である。
【００８６】
仮に、ステップＳＴ２３０において名詞単語でなければ、ステップＳＴ２２０に復帰して、収集された他のキーワードを再び形態素処理する。仮に、ステップＳＴ２３０において名詞単語であることが確認されれば、該キーワードを該アプリケーションのキーワードに確定する（ＳＴ２４０）。次に、セマンティックメニュー分類ステップに移動する（ＳＴ４００）。
【００８７】
ここで、アプリケーションのタイトル名がアプリケーションの用途を表示する場合が大半であるが、一部タイトル名はアプリケーションの固有名称でありことがある。この場合、アプリケーションのタイトル名では、該アプリケーションのどのような種類であり、どのような用途であるかが区分し難い。一方、アプリケーションの分類ディレクトリ名は通例的にアプリケーションの用途が何であるかを客観化して分類するため、本発明によるセマンティックメニューの分類のためには、アプリケーション分類ディレクトリ名がキーワードの抽出にさらに有利である。しかし、アプリケーションの分類ディレクトリ名もアプリケーション提供者側の主観的な分類によるものであるため、ユーザーの立場でセマンティックメニューを構成するための本発明の趣旨には反する。さらに、一部アプリケーションの場合、アプリケーションのタイトル名または分類ディレクトリ名が別に提供されないことがある。
【００８８】
本発明のメニュー構成方法は、上記のような問題点を解決するために、アプリケーションの説明文からキーワードを抽出する方法を提供する。通常、アプリケーションは、テーブル形式の一般文書またはＨＴＭＬなどのマークアップ言語で記述された説明文を添付する。また、このような説明文からキーワードを抽出する場合、アプリケーション提供者側の主観的な判断を排除し、ユーザーに親しいメニュー名を抽出できるという利点がある。
【００８９】
図６は、ＨＴＭＬで記述したアプリケーション説明文を例示したものである。図６を参照すれば、要素タグ属性ｔｉｔｌｅに値「ｊＱｕｅｒｙの基礎」となっている。このようなタイトル値は容易に検索して取得できる値である。このタイトル値は単語であっても良く、文章であっても良く、今後、形態素処理を経て品詞が名詞である単語だけを抽出してキーワードとして活用することができる。
【００９０】
図７は、アンドロイドマーケット上でのアプリケーション説明文を例示したものである。図７を参照すれば、説明文の第１行に「Ｎｅｏｐａｄ  Ｅｎｇｌｉｓｈ」のようなタイトル名が記入されていることを確認することができる。すなわち、アプリケーション説明文の内容からもアプリケーションのタイトルを取得できることが分かる。
【００９１】
図８は、アプリケーション説明文からキーワードを抽出する過程を示すフローチャートである。図８を参照すれば、アプリケーションのダウンロードが（または指定が）完了すれば（ＳＴ２００）、その後、キーワード抽出モジュール１２５はアプリケーションに添付された説明文をオープンする（ＳＴ３１０）。次に、アプリケーション説明文を検索してアプリケーションのタイトル名、分類ディレクトリ名、またはキーワードタグを取得する（ＳＴ３２０）。
【００９２】
【００９３】
例えば、図６の例示においては、タイトル名「ｊＱｕｅｒｙの基礎」が抽出される。図７の例示においては、「Ｎｅｏｐａｄ  Ｅｎｇｌｉｓｈ」というタイトル名が抽出される。このようなタイトル名に付加して分類ディレクトリ名およびキーワードタグなどがさらに抽出されることができる。
【００９４】
次に、取得された要素を形態素処理する（ＳＴ３３０）。形態素処理については、図５を参照して例示したように、形態素エンジンが利用され、形態素辞書３２０が参照される。形態素処理後には、取得した単語要素が単語だけで構成されたか否かを判断し（ＳＴ３４０）、単語だけで構成された場合、これより名詞を抽出する（ＳＴ３５０）。
【００９５】
次に、形態素処理によって抽出された名詞をキーワードに確定し（ＳＴ３６０）、セマンティックメニュー分類ステップに移動する（ＳＴ４００）。
【００９６】
このような一連のキーワード抽出過程はステップＳＴ３２０で取得された全ての要素に対して行われ、単一キーワードでない複数のキーワードを抽出して確定することもできる。例えば、図６の例示においては、前記した「ｊＱｕｅｒｙの基礎」を形態素処理した後、最終的に名詞「ｊＱｕｅｒｙ」と「基礎」をキーワードに確定する。
【００９７】
図９は、本発明においてセマンティックメニュー分類過程を例示したフローチャートである。図９を参照すれば、セマンティックメニュー分類モジュール１３０は、セマンティックメニュー辞書３１０をオープンしてセマンティックメニュー分類過程を開始する（ＳＴ４１０）。次に、キーワード抽出過程で抽出し確定されたキーワードを検索キーワードにしてセマンティックメニュー辞書３１０を検索する（ＳＴ４２０）。セマンティックメニュー辞書３１０の検索結果、検索キーワードにマッチングするセマンティックメニューネームを抽出する（ＳＴ４３０）。この時、複数のキーワードが存在すれば、各々のキーワードを検索キーワードにして複数のセマンティックメニューネームを抽出することもできる。
【００９８】
例えば、キーワード抽出過程で名詞「ｊＱｕｅｒｙ」と「基礎」がキーワードに確定されたとすれば、この２つの検索キーワードでセマンティックメニュー辞書を検索する。仮に、後述するようにセマンティックメニュー辞書３１０に「ｊＱｕｅｒｙ」だけ存在すれば、「ｊＱｕｅｒｙ」はセマンティックメニューネームとして抽出し、「基礎」は破棄される。
【００９９】
次に、セマンティックメニュー分類モジュール１３０は、抽出されたセマンティックメニューネームでセマンティックメニューファイルシステムを構成する（ＳＴ４４０）。次に、セマンティックメニュー開示ステップに移動する（ＳＴ５００）。
【０１００】
セマンティックメニューファイルシステムは、図１０のようなツリー構造を有するか、或いは図１１のようなネットワーク（網状）構造を有する。例えば、ダウンロードされたアプリケーションはセマンティックメニューネームに所属する要素アプリケーションに分類され、単数または複数のアプリケーションがセマンティックメニューネーム下の要素として位置してセマンティックメニューファイルを構成する。
【０１０１】
図１２は、セマンティックメニュー辞書を例示した図である。図１２のセマンティックメニュー辞書は、説明の便宜上、テーブル形態で例示したが、実際の実現方法はＴＲＩＥというデータ構造を有したＳ／Ｗなどで作られる。勿論、セマンティックメニュー辞書３１０のデータ構造はＴＲＩＥにのみ限定されるものではない。
【０１０２】
図１２に例示されたセマンティックメニューネームはセマンティックメニュー辞書に登録されたメニューネームである。好ましくは、セマンティックメニューネームは、ユーザーの認知科学の側面で１セット当たり７個から１２個程度で構成される。また、セマンティックメニューネームは、ユーザーが任意に命名したり定義したりすることができる。図１２の例示においては、セマンティックメニューネームが「Ｕ」（Ｕｓｅｒ  Ｉｎｔｅｒｆａｃｅ）、「Ｎ」（Ｎｅｗｓ）、「Ｍ」Ｍｕｓｉｃ）、「Ａ」（Ａｌｂｕｍ）、「Ｄ」（Ｄａｉｌｙ  ｔｏ  ｄｏ）、「Ｆ」（Ｆａｖｏｒｉｔｅｓ）、「Ｅ」（Ｅｄｕｃａｔｉｏｎ）などで定義したものを例示した。
【０１０３】
図１２を参照すれば、ユーティリティ、ｉｎｐｕｔなどのキーワードはセマンティックメニューネーム「Ｕ」に分類される。ｊＱｕｅｒｙ、Ｅｎｇｌｉｓｈなどのキーワードはセマンティックメニューネーム「Ｅ」に分類される。
【０１０４】
ここで、セマンティックメニューネームは複数で定義されることもできる。図１２のように、ユーティリティというキーワードはセマンティックメニューネーム１においては「Ｕ」に分類され、セマンティックメニューネーム２においては「バラ」に分類される。
【０１０５】
また、セマンティックメニューネームはユーザーによって指定されたり定義されたりすることもでき、このようなユーザーの指定および定義は各アプリケーションごとにリアルタイムで指定、定義されてセマンティックメニュー辞書３１０に登録されることもできる。
【０１０６】
例えば、隠喩的な表現で家族名、花の名前、都市名などユーザーが自らセマンティックメニューネームを定義し、アプリケーションを分類することができる。このようなユーザー指定方式のセマンティックメニューネームはユーザーの好みを反映するだけでなく、他人にアプリケーションのメニューを露出させないのに有用である。
【０１０７】
【０１０８】
図１２の例示を参照すれば、図８のキーワード抽出過程において「ｊＱｕｅｒｙ」と「基礎」という名詞がキーワードとして抽出された時、図９のセマンティックメニュー分類過程において「ｊＱｕｅｒｙ」のセマンティックメニューネームは「Ｅ」で定義されているため、該アプリケーションのセマンティックメニューネームとして「Ｅ」を抽出する。一方、また１つのキーワード「基礎」は、セマンティックメニュー辞書３１０の検索結果、該当するキーワードが存在しないために破棄される。
【０１０９】
一方、図１２のセマンティックメニュー辞書３１０にはセマンティックメニュー作成日付情報が含まれる。セマンティックメニュー作成日付情報は、例えば、「作成年月日」の日付情報である。この属性情報は、セマンティックメニューの要素、すなわち、アプリケーションがいつ利用されたかを示すアプリケーション使用履歴情報として活用することができる。
【０１１０】
図１３は、セマンティックメニュー開示過程を例示したフローチャートである。セマンティックメニューの画面表示のためにセマンティックメニューネームをアイコン形態で示す必要がある。このために、予め作成されたグラフィックアイコンが格納されたセマンティックメニューアイコンＤＢ３３０が備えられれる。
【０１１１】
ユーザーがセマンティックメニューアイコンＤＢ３３０からセマンティックメニューファイルのアイコンを選択したり指定したりすることでステップが始まる（ＳＴ５１０）。セマンティックメニューアイコンは花、風船、星などのような自然物をグラフィックイメージで表示した図または写真である。このようなセマンティックメニューアイコンは様々な模様と大きさを有することができる。
【０１１２】
次のステップにおいて、指定されたか或いはダウンロード完了したアプリケーションに対してセマンティックメニュー分類過程を通じてセマンティックメニューネームが抽出されれば、ステップＳＴ５１０においてセマンティックメニューファイルアイコンが自動で設定される（ＳＴ５２０）。次に、設定されたセマンティックメニューファイルアイコンがスマート機器に開示される（ＳＴ５３０）。
【０１１３】
次に、ユーザーがセマンティックメニュー開示入力を選択すれば（ＳＴ５４０）、設定されたアイコンでセマンティックメニューファイルがスマート機器に開示される（ＳＴ５５０）。ここで、ユーザーがセマンティックメニュー開示入力をする行為は、前記した様々な入力方式（タッチ入力方式、文字入力方式、音声認識入力方式など）のうちいずれか１つによって行われる。一例として、ユーザーは、ステップＳＴ５３０においてセマンティックメニューファイルアイコンがスマート機器に開示されれば、該アイコンをタッチでタップ（ｔａｐ）することでセマンティックメニュー構成を最終選択することができる。
【０１１４】
本発明において、セマンティックメニュー開示モジュール１３５は、セマンティックメニューファイルを開示する時に別途にロック解除機能を付与することができる。このようなロック解除機能はスマート機器上で本発明によるメニュー構成を開示する過程で個人情報保護を目的に提供される機能であり、ハードウェアおよび／またはソフトウェアで実現されることができる。
【０１１５】
図１４は、セマンティックメニュー開示におけるロック解除機能を例示した図である。図１４を参照すれば、図１３のセマンティックメニューファイル開示ステップ（ＳＴ５５０）の前に、図１４のロック解除機能が付加されることができる。
【０１１６】
ユーザーにより、スマート機器においてセマンティックメニューのロック解除機能が選択されれば、セマンティックメニュー開示モジュール１３５はロック範囲を選択する（ＳＴ５７０）。このステップにおいて、セマンティックメニューの全体に対する全体ロック、セマンティックメニューのうち一部選択されたメニューに対する部分ロック、個別のセマンティックメニューに対する個別ロックのうちいずれか１つが選択される。部分ロックや個別ロックが選択されれば、セマンティックメニュー開示モジュール１３５は、ロックするセマンティックメニューを選択する選択ウィンドウと共にセマンティックメニューファイルを画面に出力する。そして、ユーザの選択によって部分ロックまたは個別ロックするセマンティックメニューファイルが選択される。
【０１１７】
次に、ロックを解除する解除方法を選択する（ＳＴ５８０）。例えば、解除方法は、特定パターンによってロックおよび解除が行われるパターン方式、パスワード入力によってロックおよび解除が行われるパスワード方式、音声または指紋のような生体信号によってロックおよび解除が行われる生体信号方式のうちいずれか１つの方式が選択される。そして、各解除方式のうちいずれか１つの方式が選択されれば、セマンティックメニュー開示モジュール１３５は、特定パターンを入力するウィンドウ、パスワードを入力するウィンドウ、または生体情報を入力するウィンドウを画面出力して解除情報の入力を受ける。
【０１１８】
本発明は、セマンティックメニューの開示において、セマンティックメニューファイルに対してロック解除機能を付与することにより、特定のアプリケーションまたはコンテンツに対するアクセスを制限して個人情報に対するプライバシーを保護する。このようなアプリケーション個別保護装置は、スマートフォンなどにおいて全体利用にセキュリティを設定することとは差別される技術的な長所を有する。
【０１１９】
例えば、スマートフォンを紛失したユーザーが全体ロックでアクセスを不可能にしたとすれば、拾得した人から連絡を受ける可能性が希薄である。その反面、ロック装置をかけなかったとすれば、個人情報が流出される危険性が高い。しかし、本発明により、重要な個人情報が入っているセマンティックメニューファイルに対してのみロックを設定すれば、スマートフォンの通話機能が維持され、紛失時に拾得者から連絡を受けることができながらも、重要なアプリケーションに対しては個人情報の流出を防止することができる。さらに、重要度の高いセマンティックメニューファイルに対してはスマートフォンから提供するロックと他の解除方法でロック機能を設定して多層セキュリティ効果を享受できる。
【０１２０】
上述した実施形態においては、本発明のメニュー構成方法およびシステムがアプリケーションのダウンロードの場合を例示して説明した。しかし、冒頭で明らかにしたように、本発明のメニュー構成方法およびシステムはアプリケーションを指定する場合にも適用することができる。図１５〜１６の例示は、お気に入り、お気に入り視聴、お気に入り実行などのようにアプリケーションを指定する場合にも本発明のメニュー構成方法およびシステムが適用できるということを示す。
【０１２１】
図１５は、本発明のセマンティックメニュー構成がウェブサイトのお気に入りメニュー構成に適用されたことを例示したものである。先ず、一般家庭用ＰＣなどにおいて、ＵＲＬによるウェブサイトに接続する（ＳＴ６１０）。次に、インターネットエクスプローラーなどから提供するお気に入り機能で連結を希望するウェブページを指定する（ＳＴ６２０）。そうすると、本発明のキーワード抽出モジュール１２５は、指定されたウェブページからページタイトルなどの情報を収集する（ＳＴ６３０）。次に、図４で例示したように、セマンティックメニュー検索のためのキーワードを抽出し（ＳＴ６４０）、抽出されたキーワードをセマンティックメニューとして分類し（ＳＴ６５０）、分類されたセマンティックメニューを開示する（ＳＴ６６０）。ウェブページのタイトル収集、キーワード抽出、セマンティックメニュー分類、およびセマンティックメニュー開示については前述した実施形態で説明した処理過程と同様である。
【０１２２】
図１６は、本発明のセマンティックメニュー構成がスマートＴＶのお気に入り視聴チャネルの選択メニュー構成に適用されたことを例示したものである。先ず、スマートＴＶにおいてチャネルを選択する（ＳＴ７１０）。次に、スマートＴＶから提供するお気に入り視聴機能でチャネルを指定する（ＳＴ７２０）。そうすると、本発明のキーワード抽出モジュール１２５は、指定されたチャネルからタイトルなどの情報を収集する（ＳＴ７３０）。次に、図４で例示したように、セマンティックメニュー検索のためのキーワードを抽出し（ＳＴ７４０）、抽出されたキーワードをセマンティックメニューとして分類し（ＳＴ７５０）、分類されたセマンティックメニューを開示する（ＳＴ７６０）。お気に入り視聴チャネルのタイトル収集、キーワード抽出、セマンティックメニュー分類、およびセマンティックメニュー開示については前述した実施形態で説明した処理過程と同様である。
【０１２３】
図１７は、本発明のセマンティックメニュー構成が特定サイトから提供するウェブサービス（例えば、ウェブサービスを介してコンテンツ再生やアプリケーション実行をする場合など）のお気に入り実行メニュー構成に適用されたことを例示したものである。先ず、スマートパッドやその他のインターネット利用が可能なＰＣなどにおいて、ＵＲＬによるウェブサイトに接続する（ＳＴ８１０）。次に、ウェブサービス提供者が提供するウェブサービスなどをお気に入り実行機能で指定する（ＳＴ８２０）。そうすると、本発明のキーワード抽出モジュール１２５は、指定されたウェブサービスからサービスタイトルなどの情報を収集する（ＳＴ８３０）。次に、図４で例示したように、セマンティックメニュー検索のためのキーワードを抽出し（ＳＴ８４０）、抽出されたキーワードをセマンティックメニューとして分類し（ＳＴ８５０）、分類されたセマンティックメニューを開示する（ＳＴ８６０）。ウェブサービスのタイトル収集、キーワード抽出、セマンティックメニュー分類、およびセマンティックメニュー開示については前述した実施形態で説明した処理過程と同様である。
【０１２４】
上記のように、お気に入り、お気に入り視聴、お気に入り実行などのように特定アプリケーションを指定してメニューを構成するにおいて、本発明のセマンティックメニュー構成を適用する場合、アプリケーションのダウンロードと比較して初期接続対象およびダウンロード有無だけ差があるだけであって、セマンティックメニュー構成のための処理過程は同様である。
【０１２５】
このように、本発明のセマンティックメニュー構成がお気に入り、お気に入り視聴、お気に入り実行などのメニュー構成に適用されれば、従来のユーザが手動でフォルダーを作って、お気に入り、お気に入り視聴、お気に入り実行などで指定したウェブサイトを手動で管理したこととは異なり、ユーザが指定したウェブサイト、ＴＶチャネル、ウェブサービスなどからキーワードが自動抽出され、セマンティックメニューが自動で分類されて、お気に入り、お気に入り視聴、お気に入り実行メニューが管理される。したがって、ユーザ指向的であり、ユーザのユーザーエクスペリエンスに基づいた独創的なお気に入り、お気に入り視聴、お気に入り実行メニューの管理が可能となる。
【０１２６】
図１８は、本発明によって構成されたセマンティックメニュー表示画面を例示した図である。図１８の例示は、セマンティックメニューアイコンを花種類で表示し、セマンティックメニュー辞書３１０においてセマンティックメニューネームとして「Ｕ」、「Ｎ」、「Ｍ」、「Ａ」、「Ｄ」、「Ｆ」、「Ｅ」が定義されたファイル構成を例に挙げた。
【０１２７】
本発明によるセマンティックメニュー構成は、ユーザーがアプリケーションを指定するか或いはダウンロードする時、自動でアプリケーションからキーワードが抽出され、セマンティックメニュー分類が行われ、図１８のようなセマンティックメニューが開示される。図１８に開示されたセマンティックメニュー表示画面３２４を参照すれば、本発明のセマンティックメニュー構成は、一般的なアプリケーションメニュー構成とは異なり、ユーザーの指定や設定によってユーザーエクスペリエンスに基づいてユーザー個人に特化したメニュー構成である。また、このようなセマンティックメニュー構成は、ユーザーが手動でメニューを構成する必要がなく、セマンティックメニューネームおよびアイコン指定などのような幾つかの設定によって知能的に分類されるメニューとして、ユーザー個人によるアプリケーションのメニュー操作性、検索便宜性、アプリケーション管理性が高いメニュー構成である。
【０１２８】
上記に開示された発明は基本的な思想を害しない範囲内で様々な変形例が可能である。すなわち、上記の実施形態はいずれも例示的に解釈されなければならず、限定的に解釈されない。したがって、本発明の保護範囲は上述した実施形態でなく添付された請求項によって定められなければならず、添付された請求項に限定された構成要素を均等物に置き換えた場合、これは本発明の保護範囲に属するとみなすべきである。
【図１】
0005903169.tif 000002
【図２】
0005903169.tif 000003
【図３】
0005903169.tif 000004
【図４】
0005903169.tif 000005
【図５】
0005903169.tif 000006
【図６】
0005903169.tif 000007
【図７】
0005903169.tif 000008
【図８】
0005903169.tif 000009
【図９】
0005903169.tif 000010
【図１０】
0005903169.tif 000011
【図１１】
0005903169.tif 000012
【図１２】
0005903169.tif 000013
【図１３】
0005903169.tif 000014
【図１４】
0005903169.tif 000015
【図１５】
0005903169.tif 000016
【図１６】
0005903169.tif 000017
【図１７】
0005903169.tif 000018
【図１８】
0005903169.tif 000019